(57)【要約】【目的】本発明は建築、構築物の外装構造として使用でき、かつ、特に施工性と目地部の防水性を向上できる外装構造に関するものである。【構成】上端部に雌型連結部１３、下端部に雄型連結部９を形成して引っ掛け構造に形成した長尺状の外装材Ａを用いた外装構造において、雄型連結部９の差込縁７の左右端部を一定間隔で切り欠いて切り欠き１５を形成すると共に、化粧面４の左右端部を内方に略９０度で屈曲して端部防水片１４を形成した外装材Ａと、外装材Ａ間の目地部γ裏面に、溝１６を形成すると共に、下端を内方に垂下した防水片１６ａとからなるジョイナＦを形成した外装構造である。【選択図】図１
2007315051.tif 000002
【特許請求の範囲】
【請求項１】
上端部に雌型連結部、下端部に雄型連結部を形成して引っ掛け構造に形成した長尺状の外装材を用いた外装構造において、雄型連結部の差込縁の左右端部を一定間隔で切り欠いて切り欠きを形成すると共に、化粧面の左右端部を内方に略９０度で屈曲して端部防水片を形成した外装材と、該外装材間の目地部裏面に、溝を形成すると共に、下端を内方に垂下した防水片とからなるジョイナを形成したことを特徴とする外装構造。
【発明の詳細な説明】
【技術分野】
【０００１】
本発明は建築、構築物の外装構造として使用でき、かつ、特に施工性と目地部の防水性を向上できる外装構造に関するものである。
【背景技術】
【０００２】
従来の屋根材は、左右端部に連結構造を形成し、引っ掛けたり、差し込んだりして左右端部を連結する構造が一般的であった。（例えば、特許文献１〜３参照）。
【０００３】
【特許文献１】特開平１０−３０６５４７号公報
【特許文献２】特開２００１−２２７１１３号公報
【特許文献３】特開２００２−３８６５８号公報
【発明の開示】
【発明が解決しようとする課題】
【０００４】
しかしながら、特許文献１は引っ掛け式、特許文献２、３は差し込み式であるが、左右端部の成形が難しく、加工コストのアップ、成形による金属材の劣化、劣化による錆の発生、等の問題が生じる恐れがあった。
【課題を解決するための手段】
【０００５】
本発明はこのような欠点を除去するために、上端部に雌型連結部、下端部に雄型連結部を形成して引っ掛け構造に形成した長尺状の外装材を用いた外装構造において、雄型連結部の差込縁の左右端部を一定間隔で切り欠いて切り欠きを形成すると共に、化粧面の左右端部を内方に略９０度で屈曲して端部防水片を形成した外装材と、該外装材間の目地部裏面に、溝を形成すると共に、下端を内方に垂下した防水片とからなるジョイナを形成した外装構造を提案するものである。
【発明の効果】
【０００６】
本発明に係る外装構造によれば、（１）加工工程の低減によるコストダウンが図られる。（２）施工期間の低減による施工コストダウンが図られる。（３）外装材の端部防水片とジョイナの防水片の形成により、目地部防水機能の向上が図られる。（４）端部防水片の形成により、目地部分の強度が向上する。等の特徴、効果がある。
【発明を実施するための最良の形態】
【０００７】
以下に図面を用いて本発明に係る外装構造について詳細に説明する。図１（ａ）、（ｂ）は施工状態を示す説明図、図２（ａ）、（ｂ）、図３（ａ）〜（ｄ）は金属製外装材Ｂと裏打材Ｃよりなる外装材Ａの代表的一例を示す説明図、図４（ａ）、（ｂ）はジョイナＤと、その施工状態を示す説明図、図５（ａ）、（ｂ）は外装材Ａの連結部分（目地部γ）の施工状態を示す説明図である。図中、αは屋根下地、βは釘等の固定具、γは目地部を示している。なお、図３（ａ）〜（ｄ）は図２（ｂ）のａ−ａ部端面図、ｂ−ｂ部端面図、ｃ−ｃ部端面図、ｄ−ｄ部端面図である。なお、図では外装材Ａとして屋根材の一例を示すものである。
【０００８】
屋根下地αは、新築の際は図１（ａ）に示すように垂木１、野地板２、防水シート３（二点鎖線で示す）から構成した木造下地を示したものである。すなわち、垂木１上に野地板２を敷設し、野地板２上に防水シート３を配設した一般的な構造の屋根下地αである。
【０００９】
また、屋根下地αとしてＨ形鋼、Ｉ形鋼、ミゾ形鋼、軽量ミゾ形鋼、リップ溝形鋼、等辺山形鋼、不等辺山形鋼、角形鋼（角パイプ）、円形鋼（円形パイプ）、等を使用した鉄骨下地でも良いものである。
【００１０】
既存の屋根をそのまま改修する屋根の際には、これら屋根下地α上にスレート屋根、新生瓦屋根、瓦屋根、瓦棒屋根、金属製横葺き屋根、等の既存屋根（図示せず）が形成された既存屋根構造が屋根下地αとなるものである。勿論、外装材Ａとしてはスレート屋根、新生瓦屋根、瓦屋根、瓦棒屋根、金属製横葺き屋根、等の外装材Ａで形成することができるものである。
【００１１】
金属製外装材Ｂは、例えば金属板（カラー鋼板、銅板、アルミニウム板、チタン板、ステンレス板、サンドイッチ鋼板、クラッド鋼板等）等をロール成形、プレス成形、押出成形、等によって形成したものである。勿論、外装材Ａの表面材として、金属製外装材Ｂの代わりに窯業系素材、もしくは合成樹脂材（プラスチック）、等で形成してもよいものである。
【００１２】
さらに説明すると、金属製外装材Ｂは長尺板状であり、その幅方向一側縁を化粧面４の下側、すなわち、裏面５側に略コ字状に屈曲して段差化粧面６と差込縁７とを形成した雄型連結部９としたもので、化粧面４と段差化粧面６と差込縁７とから略コ字状の引っ掛け溝８を形成したものである。
【００１３】
また、化粧面４の他端には化粧面４の上側に屈曲して断面略Ｕ字状に形成した前記差込縁７と嵌合する嵌合溝１０と、嵌合溝１０の先端をコ字状に折り返した嵌合縁１１と、嵌合縁１１の先端を下方に屈曲すると共に化粧面４と略平行で外方にＬ字状に屈曲して延長した固定片１２を形成した雌型連結部１３を形成したものである。また、化粧面４と嵌合溝１０間には段差１３ａを形成するものである。さらに、化粧面４の両端部には図３（ｄ）に示すように内方に略９０度で屈曲して端部防水片１４を形成し、図４（ｂ）に示すように外装材Ａ間の目地部γ部分の防水性と強度を強化するものである。
【００１４】
金属製外装材Ｂの左右端部には、差込縁７を切り欠いて切り欠き１５を形成するものである。切り欠き１５は図２（ａ）、（ｂ）、図３（ａ）〜（ｃ）に示すように形成し、図１（ｂ）、図４（ｂ）に示すように連結した際に、差込縁７が邪魔になって図４（ａ）、（ｂ）に示すようなジョイナＦを介して下段の外装材Ａ上に、スムーズに雨水が排水されないことが無いように形成したものである。
【００１５】
裏打材Ｃは防水材、断熱材、吸音材、緩衝材、防火材、結露防止材、等として機能するものであり、不織布、合成樹脂製発泡シート（例えば架橋化発泡ポリエチレンシート）、等）、ロックウール、テックス（軟質繊維板）、ゴムシート、樹脂シート、等、あるいはこれらに遮音材、耐火材等を含浸、含有、混合、積層（一層、あるいは複数層）、サンドイッチ、等したものを使用することもできる。
【００１６】
特に不織布は、縦糸と横糸を交差させて繊維から織物にする従来の方法と異なり、各種の繊維を接着材等で結合した不織布等である。この不織布はまず繊維が平行に交差するか、また無秩序に配列された薄いフェルト状のものを接着材で結合させるか、または主体となる繊維状態の中に別の熱可塑性繊維を混在させて、加熱および加圧して溶融し相互に結合させたりして作られたものである。勿論、素材自体に防水性の無いものには、樹脂材をコーティング、あるいは撥水剤、防水コーティング剤、等で防水機能を片面あるいは両面に付加したものである。
【００１７】
ジョイナＤは図４（ａ）、（ｂ）に示すようなもので、図４（ａ）に示すような溝１６、上片１７、側片１８と、溝１６の下端を下方に垂下して形成した防水片１６ａよりなるものである。素材は金属製板材、プラスチック材、等よりなり、例えば金属製板材をプレス成形して形成した短尺材である。ジョイナＦは図１（ｂ）、図４（ｂ）に示すように施工され、目地部γから雨水が浸入するのを防止するものである。なお、図１（ｂ）、図４（ｂ）に示すように、ジョイナＦの上片１７、側片１８は外装材Ａの裏打材Ｃに食い込むように当接して形成され、防水性を発揮するものである。
【００１８】
防水片１６ａは図５（ａ）、（ｂ）に示すように、目地部γの切り欠き１５部分に形成され、目地部γ部分から雨水が内部へ浸入するのを防止するものである。
【００１９】
外装材Ａの段差１３ａは、目地部γ部分に形成される防水片１６ａにより外装材Ａの嵌合溝１０をカバーできるように形成し、防水性を向上できるように形成したものである。
【００２０】
ここで寸法関係について簡単に説明する。外装材Ａの幅をＸ、切り欠き１５の幅をｈ、敷目板Ｄの幅をＹ、溝１６の幅をＨ、目地部γの幅をＴとすると、Ｔ≧０、Ｈ≒２ｈ＋Ｔ、Ｘ≦Ｙの関係が望ましいものである。
【００２１】
以上説明したのは本発明に係る外装構造の一実施例にすぎず、図６（ａ）〜（ｃ）〜図８（ａ）、（ｂ）に示すように形成することもできる。
【００２２】
すなわち、図６（ａ）〜（ｃ）は外装材Ａのその他の実施例を示す説明図であり、差込縁７を長く形成することにより、図７に示すように幅ｔの空間が形成され、雨水の流れをスムーズにした外装材Ａである。また、図８（ａ）、（ｂ）はジョイナＤのその他の実施例を示す説明図であり、Ｅはパッキング材である。
【図面の簡単な説明】
【００２３】
【図１】本発明に係る外装構造の施工状態を示す断面図である。
【図２】本発明に係る外装構造の代表例を示す斜視図ある。
【図３】本発明に係る外装構造の代表例を示す断面図である。
【図４】本発明に係る外装構造の施工に使用するジョイナと、その施工状態を示す説明図である。
【図５】本発明に係る外装構造の施工状態を示す説明図である。
【図６】本発明に係る外装構造のその他の例を示す説明図である。
【図７】本発明に係る外装構造のその他の例を示す説明図である。
【図８】本発明に係る外装構造のその他の例を示す説明図である。
【符号の説明】
【００２４】
α  屋根下地
β  固定具
γ  目地部
Ａ  外装材
Ｂ  金属製外装材
Ｃ  裏打材
Ｄ  ジョイナ
Ｅ  パッキング材
１  垂木
２  野地板
３  防水シート
４  化粧面
５  裏面
６  段差化粧面
７  差込縁
８  引っ掛け溝
９  雄型連結部
１０  嵌合溝
１１  嵌合縁
１２  固定片
１３  雌型連結部
１３ａ  段差
１４  端部防水片
１５  切り欠き
１６  溝
１６ａ  防水片
１７  上片
１８  側片
【図１】
2007315051.tif 000003
【図２】
2007315051.tif 000004
【図３】
2007315051.tif 000005
【図４】
2007315051.tif 000006
【図５】
2007315051.tif 000007
【図６】
2007315051.tif 000008
【図７】
2007315051.tif 000009
【図８】
2007315051.tif 000010
【手続補正書】
【提出日】平成18年6月5日(2006.6.5)
【手続補正１】
【補正対象書類名】図面
【補正対象項目名】図２
【補正方法】変更
【補正の内容】
【図２】
2007315051.tif 000011